(57)【要約】【課題】  南海トラフで巨大地震が起き津波が発生すると、最悪の場合、約３２万人の犠牲者が想定され、一方、首都東京のゼロメートル地帯でスーパー台風による洪水や高潮が起きると浸水域に多くの人が取り残されるおそれがある。  沿岸部等には、「津波避難塔」や水害に備えての高いビル等への「垂直避難」が準備されているものの一部にとどまり、住民らが危険地帯から早期に避難するための地域防災計画の実施が急務である。【解決手段】  津波や高潮等で浸水が想定される危険な沿岸部等から住民らが脱出を図るための高架式歩行者専用避難路を提供する。一般道路等の上に構築されたかまぼこユニット型の該高架式避難路は、ＡＩ（人工知能）により、津波や高潮等の高い浸水深による危険を感知すると、該避難路の「休息待機ユニット」を自動的に分離し水面上に浮上させて、避難途中の住民らの安全を図ることができる。【選択図】図１
2020183685.tif 000002
【特許請求の範囲】
【請求項１】
地震による津波やスーパー台風による洪水や高潮が発生し浸水の危険が迫った際に、周辺住民らが近くの高いビルや緊急避難場所に避難するための、一般道路等の上に構築されたかまぼこユニット型の高架式歩行者専用避難路で、住民らの避難途中に、高い浸水深により水没の危険が迫ると、ＡＩ（人工知能）によりこれを感知し、「休息待機スペースになっているユニット」を自動的に分離し水面上に浮上させ、該避難路内の住民らの安全を図ることを特徴とする。
【発明の詳細な説明】
【技術分野】
【０００１】  該発明は、地震・津波や洪水、高潮等で住民らが「緊急避難場所」へ移動し、乃至、周辺の高いビル等に「垂直避難」するための高架式の歩行者専用避難路で、大津波や高潮等の浸水深が高くなり水没の危険が迫ると、ＡＩ（人工知能）によりこれを感知し、該避難路の休息待機スペースになっているユニットを自動的に分離し水面上に浮上させ、避難途中の住民らの安全を図る。【０００２】  該高架式歩行者専用避難路は、津波等の浸水危険地域の一般道路等の上に設置され、該避難路の通路下部には、電気・通信ケーブル等を入線できる共同溝が併設されていて、耐震・耐火・耐水性にすぐれ、大雨や強風が吹いても安全な強度を備え、津波や洪水、高潮の一定の高さの浸水深に耐えうる。
【背景技術】
【０００３】  津波をともなう巨大地震の発生で、最悪の場合、約３２万人の犠牲者が予想される南海トラフ沿岸部をはじめ、直下地震やスーパー台風による洪水や高潮で多数の住民らが浸水域に取り残されるおそれのある首都東京のゼロメートル地帯等では、国のガイドラインにもとづき住民らの早期避難のための地域防災計画が検討されており、特に、障害者やお年寄り、乳幼児等の要援護者の支援計画の整備が急がれる。【０００４】  南海トラフ沿岸部では、津波避難塔や避難いかだ等の準備が進み、一方、東京ゼロメートル地帯では、周辺の中高層ビル等への「垂直避難」が検討されているものの、津波や洪水、高潮による浸水が始まると一般道路や車、鉄道等による住民らの避難のための移動は危険がともない難しくなる。【０００５】
【特許文献１】特開２０１８−６６２４９号公報
【特許文献２】実用３１９６０２８号公報
【０００６】
【発明の開示】
【発明が解決しようとする課題】
【０００７】  地震・津波の予知の困難さもあり、南海トラフ巨大地震の想定震源域の東側や西側でＭ８以上の地震が起きた「半割れ」の場合に「事前避難対象地域」が設定され避難勧告等が出ると、地域住民、とりわけ、お年寄は不安と戸惑いの中での知人宅等への「事前避難」を迫られることになり混乱が予想される。【０００８】  東日本大震災（２０１１）では、死者の９割が避難に遅れ津波の犠牲になり、津波を防ぐための防潮堤の限界が感じられた。東京五輪のセーリング競技会場となる藤沢市江の島の湘南港は、南海トラフ地震津波避難対策特別強化地域にあり、また、相模トラフで大地震による津波が起きると、選手や観客らの避難が危ぶまれている。【０００９】  東京のゼロメートル地帯の墨田、江東、足立、葛飾、江戸川の江東５区では水害対策として護岸堤等の整備は行われているものの、直下地震やスーパー台風による洪水や高潮が発生すると住民約２６０万人のうちの多くが浸水域に取り残され、鉄道等交通機関の運行が危ぶまれる中で、住民らは「垂直避難」や「広域避難」を強いられることになる。
【課題を解決するための手段】
【００１０】  当該発明は、沿岸部の住宅やビル等が立て込んでいる市街地の一般道路等に沿って、その上に、津波や洪水、高潮による浸水深を避けるべく一定の高さに構築されたかまぼこユニット型の高架式歩行者専用避難路で、安全な「緊急避難場所」まで伸びていて、途中、緊急時の「垂直避難」に備えて、道路わきの中高層ビル等に接続されている。【００１１】  該高架式歩行者専用避難路は、一般道路等の上に立てられた橋脚（１）と橋脚の間に渡された橋桁の上に造られるかまぼこユニット型の屋根や窓のある高架式の歩行者専用避難路で、「通路だけのユニット」（２）と避難者らが「休息待機できるユニット」（３）からなり、通路下部に水道送給水管のほか、電気・通信ケーブルや電圧変換装置等の移設可能な「共同溝」（４）が設けられ、地上道路とは、車イスでも昇降可能な緩い傾斜のスロープ（５）でつながっている。【００１２】  該避難路の、上記（００１１）の「休息待機ユニット」（３）は、津波や高潮等による一定の高さを超えて浸水し水没する危険が迫ると、ＡＩにより感知し、該避難路から分離され自動的に水面上に浮上し避難者の安全をはかる。【００１３】  上記の「休息待機ユニット」（３）には、飲料水や停電に備えての太陽光発電による照明のほか、電話、ＡＥＤや緊急用医薬品、赤ちゃんのおむつや抱っこ紐等の防災用品も備蓄してある。【００１４】  該避難路の通路下部に設置されている共同溝（４）に水道の送給水管が敷設されているので、「通路だけのユニット」（２）の一部に飲料水の蛇口と水洗トイレが設置され、汚水は橋脚（１）を通じて道路地下の下水管に排水される。
【発明の効果】
【００１５】  地震・津波や風水害等の災害発生時に、住民らの身近に逃げ込める該高架式歩行者専用避難路があると、適時、迅速な避難行動に結びつき、住民らの安心安全につながり、防災への一層の理解が進んで啓発に役立つ。【００１６】  都心で首都直下地震などの大災害が発生し、自衛隊等の救援部隊が全国から主要道路伝いに入ってくると、都心から郊外に避難する住民や帰宅困難者らと鉢合わせになり混乱が予想される。高架式歩行者専用避難路のネットワークが広域にわたり整備されていて、その周知によって、住民や帰宅困難者らの避難ルートとして該高架式避難路が活用されるとそうした混乱は防げる。【００１７】  該高架式避難路は、その多くが「緊急避難場所」に指定されている小中学校につながっており、児童生徒の普段の通学路として利用される効果は大きく、児童生徒の交通事故の防止に役立つだけでなく、地域の交通環境の改善に寄与する。【００１８】  該高架式避難路に設置の「共同溝」（４）に、沿道の無電柱化整備にともなう電気・通信ケーブルの入線と電圧変換装置等地上機器を移設することは可能で、周辺の防災道路環境の向上に役立つだけでなく、無電柱化整備にともなう工期の短縮と移設コストの軽減につながる。
【発明を実施するための最良の形態】
【００１９】  該高架式歩行者専用避難路の構築にあたっては、地域住民の穏やかな日常生活を損なわないように、炭素繊維系建材の多用により、色彩・形状等にも十分に配慮したスマートで優しい安全で住民らが安心できる街角道路を目指す。【００２０】  該高架式避難路は、沿岸部や市街地等の一般道路等の上に構築するため、工事にともなう交通渋滞等を引き起こすおそれもあり、工期の短縮を図るために、ユニットシステム方式を採用して、施工のスピード化を図り、今後のメンテナンスやリフォームにも配慮した、高性能で、高品質の歩行者専用避難路を提供する。
【実施例】
【００２１】  夕暮れ時の地震発生で付近一帯が停電し被害が出ている中で、津波常襲地帯の沿岸道路に設置の高架式歩行者専用避難路に住民らが集まってくる。子供を連れた母親、スロープから車いすで上がってきたお年寄り。太陽光発電で明るい避難路の「休息待機ユニット」では、住民らが水を飲んだり公衆電話をかけたりしているうちに、携帯に高さ３メートルの津波情報が入る。通路の折りたたみ椅子に座っていた若い人たちは直ちに椅子をたたんで避難通路伝いに近くの４階建てマンションに垂直避難。お年寄りは「ここは大津波でも大丈夫だが…」と言いながらも小学生らに車いすを押してもらい、子供を抱っこひもでかかえた母親らと一緒に高台にある緊急避難場所の小学校へ向かった。
【産業上の利用可能性】
【００２２】  該高架式避難路の共同溝を活用して沿道の無電柱化整備の促進を図る。無電柱化整備の工期の短縮と移設コストの軽減に役立てて、防災に強い町づくりと電柱のない街の景観の一新に貢献できる。
【図面の簡単な説明】
【００２３】
【図１】道路上に構築の高架式歩行者専用避難路の外観説明図。
【図２】高架式歩行者専用避難路の通路と共同溝の断面説明図。
【符号の説明】
【００２４】１  橋脚
２  通路だけのユニット（一部に飲料水の蛇口と水洗トイレ）
３  休息待機ユニット
４  共同溝
５  昇降スロープ
【図１】
2020183685.tif 000003
【図２】
2020183685.tif 000004